(57)【要約】【課題】ペットの飼い主がペットの排泄物の処理やペットの排泄のトレーニングに伴う苦労を軽減する手段を提供する。【解決手段】ペット用トイレ１は、カバーシート１０と、ペット用トイレ容器１１と、ペット用トイレシーツ１２とを備えている。カバーシート１０の使用時の上側表面は少なくとも２以上の領域に区分され、当該２以上の領域のうち少なくとも１以上の領域の各々に関し、当該領域に対応する所定のメッセージを示す、色、図形、およびテキストのうちの１以上を示す画像が形成されている。当該画像は、例えばダーツの的や占いを示すものが望ましい。また、カバーシート１０は設けられず、当該画像が直接、ペット用トイレシーツ１２に例えば印刷される構成が採用されてもよい。【選択図】図１
2011177167.tif 000002
【特許請求の範囲】
【請求項１】
ペット用トイレシーツであって、前記ペット用トイレシーツの偏平な面を少なくとも２以上の領域に区分するとともに、前記２以上の領域のうち少なくとも１以上の領域の各々に関し、当該領域に対応する所定のメッセージを示す色、図形、およびテキストのうちの１以上を示す画像が形成されているペット用トイレシーツ。
【請求項２】
前記画像は、ペットの小便の付着およびペットの大便による下方への押圧のいずれの有無にかかわらず、外部から視認可能に形成されている
請求項１に記載のペット用トイレシーツ。
【請求項３】
前記画像は、ペットの小便の付着およびペットの大便による下方への押圧のいずれもない状態において外部から視認不可能であり、ペットの小便の付着もしくはペットの大便による下方への押圧により外部から視認可能となる
請求項１に記載のペット用トイレシーツ。
【請求項４】
前記画像は、ペットの小便の付着およびペットの大便による下方への押圧のいずれもない状態における外部からの視認性と比較し、ペットの小便の付着もしくはペットの大便による下方への押圧を受けた後の状態における視認性が高い
請求項１に記載のペット用トイレシーツ。
【請求項５】
前記画像は、ペットの小便または大便に含まれる所定の物質に反応して視認性が高まるインクを用いた印刷により形成されている
請求項３または４のいずれかに記載のペット用トイレシーツ。
【請求項６】
１以上のシートを備え、
前記１以上のシートのうちの一のシートの使用時における下面に、上側から観た画像と左右反転された前記画像が形成されている
請求項３乃至５のいずれかに記載のペット用トイレシーツ。
【請求項７】
複数のシートを備え、
前記複数のシートのうち使用時における上から数えて２層目もしくは当該２層目より下層のシートに前記画像が形成されている
請求項３乃至６のいずれかに記載のペット用トイレシーツ。
【請求項８】
前記複数のシートのうち前記画像が形成されているシートの１つ上に隣接して配置されるシートは水溶性を備える
請求項７に記載のペット用トイレシーツ。
【請求項９】
前記２以上の領域は全体としてダーツの的を構成し、
前記所定のメッセージは前記ダーツの的を射た位置に応じた得点である
請求項１乃至８のいずれかに記載のペット用トイレシーツ。
【請求項１０】
前記所定のメッセージは占いを示す
請求項１乃至８のいずれかに記載のペット用トイレシーツ。
【請求項１１】
液体が付着した箇所が、当該液体が蒸発した後も視認可能に変色する素材によりつくられた
請求項１乃至１０のいずれかに記載のペット用トイレシーツ。
【請求項１２】
ペット用トイレシーツの使用時に当該ペット用トイレシーツの上側表面の上に配置され
るカバーシートであって、前記カバーシートの偏平な面を少なくとも２以上の領域に区分するとともに、前記２以上の領域のうち少なくとも１以上の領域の各々に関し、当該領域に対応する所定のメッセージを示す色、図形、およびテキストのうちの１以上を示す画像が形成されているカバーシート。
【請求項１３】
前記画像は、ペットの小便の付着およびペットの大便による下方への押圧のいずれの有無にかかわらず、外部から視認可能に形成されている
請求項１２に記載のカバーシート。
【請求項１４】
前記画像は、ペットの小便の付着およびペットの大便による下方への押圧のいずれもない状態において外部から視認不可能であり、ペットの小便の付着もしくはペットの大便による下方への押圧により外部から視認可能となる
請求項１２に記載のカバーシート。
【請求項１５】
前記画像は、ペットの小便の付着およびペットの大便による下方への押圧のいずれもない状態における外部からの視認性と比較し、ペットの小便の付着もしくはペットの大便による下方への押圧を受けた後の状態における視認性が高い
請求項１２に記載のカバーシート。
【請求項１６】
前記画像は、ペットの小便または大便に含まれる所定の物質に反応して視認性が高まるインクを用いた印刷により形成されている
請求項１４または１５のいずれかに記載のカバーシート。
【請求項１７】
使用時における下面に、上側から観た画像と左右反転された前記画像が形成されている
請求項１４乃至１６のいずれかに記載のカバーシート。
【請求項１８】
複数のシートを備え、
前記複数のシートのうち使用時における上から数えて２層目もしくは当該２層目より下層のシートに前記画像が形成されている
請求項１４乃至１７のいずれかに記載のカバーシート。
【請求項１９】
前記複数のシートのうち前記画像が形成されているシートの１つ上に隣接して配置されるシートは水溶性を備える
請求項１８に記載のカバーシート。
【請求項２０】
前記２以上の領域は全体としてダーツの的を構成し、
前記所定のメッセージは前記ダーツの的を射た位置に応じた得点である
請求項１２乃至１９のいずれかに記載のカバーシート。
【請求項２１】
前記所定のメッセージは占いを示す
請求項１２乃至１９のいずれかに記載のカバーシート。
【請求項２２】
液体が付着した箇所が、当該液体が蒸発した後も視認可能に変色する素材によりつくられた
請求項１２乃至２１のいずれかに記載のカバーシート。
【発明の詳細な説明】
【技術分野】
【０００１】
本発明は、ペットの排泄物を処理するためのペット用トイレシーツに関する。
【背景技術】
【０００２】
犬や猫等のペット用トイレシーツは、一般に、透液性の素材で形成された表面シートと、不透液性の素材で形成された裏面シートと、当該表面シートと当該裏面シートとの間に配置される液体吸収体とから構成されている。
【０００３】
そして、当該ペット用トイレシーツを用いた排泄物の処理は、当該ペット用トイレシーツをペット用トイレ容器内等に予め敷いておき、ペットが排泄物を排泄した後に、新しいペット用トイレシーツに取り替えるといったものである。
【０００４】
そのようなペット用トイレシーツの一例として、例えば特許文献１に開示されるものがある。
【先行技術文献】
【特許文献】
【０００５】
【特許文献１】特開２００７−２８２６０５号公報
【発明の概要】
【発明が解決しようとする課題】
【０００６】
本発明の発明者は、上述のペット用トイレシーツの基本的な機能に対し、今までにはない遊び心と、ペットの排泄のトレーニングを支援する機能を付加することを思いついた。
【０００７】
すなわち、ペットの排泄物を処理する行為は、一般的にあまり楽しくない行為であるが、その行為に遊び心を加えることができれば、苦労が軽減され望ましい。
【０００８】
また、ペットに正しい場所で排泄を行うようにトレーニングすることは容易ではなく、そのトレーニングを助けてくれるものがあれば、やはり苦労が軽減され望ましい。
【０００９】
そこで、本発明は、ペットの飼い主がペットの排泄物の処理やペットの排泄のトレーニングに伴う苦労を軽減する手段を提供することを目的とする。
【課題を解決するための手段】
【００１０】
本発明は、上記の目的に鑑みて想到されたものであり、
ペット用トイレシーツであって、前記ペット用トイレの偏平な面を少なくとも２以上の領域に区分するとともに、前記２以上の領域のうち少なくとも１以上の領域の各々に関し、当該領域に対応する所定のメッセージを示す色、図形、およびテキストのうちの１以上を示す画像が形成されているペット用トイレシーツを提供する（第１の実施態様）。
【００１１】
また、上記の第１の実施態様において、
前記画像は、ペットの小便の付着およびペットの大便による下方への押圧のいずれの有無にかかわらず、外部から視認可能に形成されている
構成を採用してもよい（第２の実施態様）。
【００１２】
また、上記の第１の実施態様において、
前記画像は、ペットの小便の付着およびペットの大便による下方への押圧のいずれもない状態において外部から視認不可能であり、ペットの小便の付着もしくはペットの大便による下方への押圧により外部から視認可能となる
構成を採用してもよい（第３の実施態様）。
【００１３】
また、上記の第１の実施態様において、
前記画像は、ペットの小便の付着およびペットの大便による下方への押圧のいずれもない状態における外部からの視認性と比較し、ペットの小便の付着もしくはペットの大便による下方への押圧を受けた後の状態における視認性が高い
構成を採用してもよい（第４の実施態様）。
【００１４】
また、上記の第３または第４の実施態様において、
前記画像は、ペットの小便または大便に含まれる所定の物質に反応して視認性が高まるインクを用いた印刷により形成されている
構成を採用してもよい（第５の実施態様）。
【００１５】
また、上記の第３乃至第５の実施態様のいずれかにおいて、
１以上のシートを備え、
前記１以上のシートのうちの一のシートの使用時における下面に、上側から観た画像と左右反転された前記画像が形成されている
構成を採用してもよい（第６の実施態様）。
【００１６】
また、上記の第３乃至第５の実施態様のいずれかにおいて、
複数のシートを備え、
前記複数のシートのうち使用時における上から数えて２層目もしくは当該２層目より下層のシートに前記画像が形成されている
構成を採用してもよい（第７の実施態様）。
【００１７】
また、上記の第７の実施態様において、
前記複数のシートのうち前記画像が形成されているシートの１つ上に隣接して配置されるシートは水溶性を備える
構成を採用してもよい（第８の実施態様）。
【００１８】
また、上記の第１乃至第８の実施態様のいずれかにおいて、
前記２以上の領域は全体としてダーツの的を構成し、
前記所定のメッセージは前記ダーツの的を射た位置に応じた得点である
構成を採用してもよい（第９の実施態様）。
【００１９】
また、上記の第１乃至第８の実施態様のいずれかにおいて、
前記所定のメッセージは占いを示す
構成を採用してもよい（第１０の実施態様）。
【００２０】
また、上記の第１乃至第１０の実施態様のいずれかにおいて、
ペット用トイレシーツが、液体が付着した箇所が、当該液体が蒸発した後も視認可能に変色する素材によりつくられていてもよい（第１１の実施態様）。
【００２１】
また、本発明は、
ペット用トイレシーツの使用時に当該ペット用トイレシーツの上側表面の上に配置されるカバーシートであって、前記カバーシートの偏平な面を少なくとも２以上の領域に区分するとともに、前記２以上の領域のうち少なくとも１以上の領域の各々に関し、当該領域に対応する所定のメッセージを示す色、図形、およびテキストのうちの１以上を示す画像が形成されているカバーシートを提供する（第１２の実施態様）。
【００２２】
また、上記の第１２の実施態様において、
前記画像は、ペットの小便の付着およびペットの大便による下方への押圧のいずれの有無にかかわらず、外部から視認可能に形成されている
構成を採用してもよい（第１３の実施態様）。
【００２３】
また、上記の第１２の実施態様において、
前記画像は、ペットの小便の付着およびペットの大便による下方への押圧のいずれもない状態において外部から視認不可能であり、ペットの小便の付着もしくはペットの大便による下方への押圧により外部から視認可能となる
構成を採用してもよい（第１４の実施態様）。
【００２４】
また、上記の第１２の実施態様において、
前記画像は、ペットの小便の付着およびペットの大便による下方への押圧のいずれもない状態における外部からの視認性と比較し、ペットの小便の付着もしくはペットの大便による下方への押圧を受けた後の状態における視認性が高い
構成を採用してもよい（第１５の実施態様）。
【００２５】
また、上記の第１４または第１５の実施態様において、
前記画像は、ペットの小便または大便に含まれる所定の物質に反応して視認性が高まるインクを用いた印刷により形成されている
構成を採用してもよい（第１６の実施態様）。
【００２６】
また、上記の第１４乃至第１６の実施態様のいずれかにおいて、
使用時における下面に、上側から観た画像と左右反転された前記画像が形成されている
構成を採用してもよい（第１７の実施態様）。
【００２７】
また、上記の第１４乃至第１６の実施態様のいずれかにおいて、
複数のシートを備え、
前記複数のシートのうち使用時における上から数えて２層目もしくは当該２層目より下層のシートに前記画像が形成されている
構成を採用してもよい（第１８の実施態様）。
【００２８】
また、上記の第１８の実施態様において、
前記複数のシートのうち前記画像が形成されているシートの１つ上に隣接して配置されるシートは水溶性を備える
構成を採用してもよい（第１９の実施態様）。
【００２９】
また、上記の第１１乃至第１９の実施態様のいずれかにおいて、
前記２以上の領域は全体としてダーツの的を構成し、
前記所定のメッセージは前記ダーツの的を射た位置に応じた得点である
構成を採用してもよい（第２０の実施態様）。
【００３０】
また、上記の第１１乃至第１９の実施態様のいずれかにおいて、
前記所定のメッセージは占いを示す
構成を採用してもよい（第２１の実施態様）。
【００３１】
また、上記の第１１乃至第２１の実施態様のいずれかにおいて、
カバーシートが、液体が付着した箇所が、当該液体が蒸発した後も視認可能に変色する素材によりつくられていてもよい（第２２の実施態様）。
【発明の効果】
【００３２】
本発明の第１の実施態様にかかるペット用トイレシーツによれば、ペットの飼い主は、当該ペットの排泄物の処理を楽しみながら行うことができるとともに、ペットの排泄のトレーニングの上達具合を容易に確認でき、トレーニングのモチベーションを維持することができる。
【００３３】
また、本発明の第２の実施態様にかかるペット用トイレシーツによれば、ペットの飼い主は、当該ペットの排泄の前から占い等の画像の内容を知ることができ、例えばペットが良い運勢を示す部分に排泄をしようとする姿を見て応援するなど楽しみを得ることができる。
【００３４】
また、本発明の第３の実施態様にかかるペット用トイレシーツによれば、ペットの飼い主は、当該ペットの排泄の後に初めて排泄箇所の画像を見ることができるため、画像の内容の意外性を楽しむことができる。
【００３５】
また、本発明の第４の実施態様にかかるペット用トイレシーツによれば、ペットの排泄の箇所の画像の視認性が高まるため、ペットの飼い主にとって排泄の箇所の確認が容易となる。
【００３６】
また、本発明の第５の実施態様にかかるペット用トイレシーツによれば、ペットによる小便または大便の排泄により画像が浮き出るため、画像の内容の意外性を楽しむ等の利点が得られる。
【００３７】
また、本発明の第６の実施態様にかかるペット用トイレシーツによれば、例えばペットによる小便の排泄により画像の形成されているシートの透明性が高まり、その裏面に形成されている画像が浮き出る。そのため、画像の内容の意外性を楽しむ等の利点が得られる。
【００３８】
また、本発明の第７の実施態様にかかるペット用トイレシーツによれば、例えばペットに排泄された小便の水分や大便の重力による押圧により隣接する２枚のシートが接触することにより、下側のシートに印刷等されている画像が浮き出る。そのため、画像の内容の意外性を楽しむ等の利点が得られる。
【００３９】
また、本発明の第８の実施態様にかかるペット用トイレシーツによれば、例えばペットに排泄された小便の水分により水溶性のシートが溶けてその領域のみ穴が空くことにより、水溶性のシートの下に配置された画像がよく見えるようになる。そのため、画像の内容の意外性を楽しむ等の利点が得られる。
【００４０】
また、本発明の第９の実施態様にかかるペット用トイレシーツによれば、ペットの飼い主は、ダーツの的においてペットの排泄物が落とされた位置に記載されている点数を確認することによって、ゲーム感覚でペットの排泄物の処理を行うことができるとともに、的のペット用トイレシーツの中心にどの程度近い位置に排泄が行われたかを正確に知ることができる。
【００４１】
また、本発明の第１０の実施態様にかかるペット用トイレシーツによれば、ペットの飼い主は、ペットの排泄物が落とされた位置に記載されている占いの運勢を確認することによって、ゲーム感覚でペットの排泄物の処理を行うことができる。
【００４２】
また、本発明の第１１の実施態様にかかるペット用トイレシーツによれば、ペットが透明の小便を排泄した後、その排泄物が蒸発した後も、上述した第１乃至第３の実施態様にかかるペット用トイレシーツと同様の効果が得られる。
【００４３】
また、本発明の第１２の実施態様にかかるカバーシートによれば、上述した第１の実施態様にかかるペット用トイレシートと同様の効果に加え、排泄物が大便である場合には当該大便をカバーシートでくるんでペット用トイレシーツ上より取り除くことができ、大便の処理を容易かつ衛生的に行うことができる。
【００４４】
また、本発明の第１３乃至第２２の実施態様にかかるカバーシートによれば、上述の第１２の実施態様にかかるカバーシートが有する効果とともに、各々、上述の第２乃至第１１の実施態様にかかるペット用トイレシートと同様の効果を得ることができる。
【図面の簡単な説明】
【００４５】
【図１】図１は、本発明の実施形態にかかるカバーシートに形成される画像の一例である。
【図２】図２は、本発明の実施形態にかかるペット用トイレの分解図および概略図である。
【図３】図３は、本発明の実施形態の一変形例にかかるペット用トイレの分解図および概略図である。
【図４】図４は、本発明の実施形態にかかるカバーシートに形成される画像の一例である。
【発明を実施するための形態】
【００４６】
（実施形態）
以下、本発明の一具体例である実施形態について、図面を用いて説明する。
【００４７】
図１（ａ）および図１（ｂ）は、それぞれ本実施形態にかかるカバーシート１０に形成される画像の一例である。図１（ａ）が表しているのは、ダーツの的の画像を印刷等により形成したカバーシート１０であり、図１（ｂ）が表しているのは、占いを示す画像を印刷等により形成したカバーシート１０である。
【００４８】
カバーシート１０はペット用トイレ１において用いられる。図２に示されるように、ペット用トイレ１は、カバーシート１０と、ペット用トイレ容器１１と、ペット用トイレシーツ１２とを備えている。
【００４９】
ペット用トイレ容器１１は、例えば、縦の長さが５０センチメートルで横の長さが３０センチメートルの矩形状の底板１１ａと、底板１１ａの外縁を縁取る枠１１ｂと、枠１１ｂの上に配置されてペット用トイレシーツ１２がペット用トイレ容器１１からずれることを防止する留め具１１ｃとから構成されている。
【００５０】
ペット用トイレシーツ１２は、例えば、透液性の素材で形成された表面シートと、不透液性の素材で形成された裏面シートと、当該表面シートと当該裏面シートとの間に配置され、当該表面シートを透過した水分を吸収する吸水体とから構成されている。なお、ペット用トイレシーツ１２は、ペット用トイレ容器１１の底板と略同等の大きさおよび形状を有している。
【００５１】
カバーシート１０は、例えば、使用時にペット用トイレシーツ１２の上側表面の上に配置されるものであり、ペット用トイレシーツ１２と略同等の大きさおよび形状を有している。
【００５２】
カバーシート１０の表面には、例えば、ダーツの的を示す画像や占いを示す画像等が印刷されている。
【００５３】
カバーシート１０は、例えば、水溶性の紙によって作られている。その結果として、カバーシート１０の上に排泄された大便をくるんで水洗トイレにおいて流すことが可能である。
【００５４】
ただし、カバーシート１０の素材は、水溶性の紙ではなくて、様々な素材の紙や布等によって作られていてもよい。なぜならば、水洗トイレで流さずにその他の方法で処理する態様もあり得るからである。
【００５５】
また、カバーシート１０の素材は、例えば水溶性の顔料が混合される等により、液体が不着した後、その液体が蒸発しても、液体が不着した場所が外部から容易に視認できる素材であってもよい。その場合、ペットがカバーシート１０の上で透明な小便を排泄した後、しばらくして飼い主がそれに気付いた場合であっても、ペットがどの場所に排泄をしたかを飼い主が確認できる。
【００５６】
図２（ａ）に示されるように、本実施形態においては、底板１１ａの上にペット用トイレシーツ１２が載り、枠１１ｂと留め具１１ｃとがそれらの間に配置されたペット用トイレシーツ１２を挟み込む構成が採用されている。
【００５７】
その用にして構成されたものの上に、カバーシート１０が載せられて、図２（ｂ）に示されるようなペット用トイレ１が構成される。
【００５８】
なお、底板１１ａの上にペット用トイレシーツ１２が載るとともにペット用トイレシーツ１２の上にカバーシート１０が載り、枠１１ｂと留め具１１ｃとがそれらの間に配置されたペット用トイレシーツ１２およびカバーシート１０の両方を挟み込む構成が採用されてもよい。その場合、カバーシート１０がペット用トイレ容器１１からずれないという利点がある。
【００５９】
以下、本実施形態にかかるカバーシート１０の使用方法の一例を、説明する。
【００６０】
例えば図１（ａ）に示されるカバーシート１０の上に、ペットの犬もしくは猫が排泄物を落としたとする。その排泄物が落とされた位置が、図１（ａ）における１００点の位置であれば、例えば飼い主は、ペットの排泄が上手くできたことを喜ぶとともに、ペットを撫でてほめるなどしてその喜びを伝える。
【００６１】
それに対して、図１（ａ）における低い点（例えば、２０点等）の位置に排泄物が落とされた場合は、飼い主は厳しい態度でペットに接する等により残念さを伝える。
【００６２】
そのような態度で喜びや残念さを伝えることにより、飼い主は効果的にペットの排泄のトレーニングを行うことができる。その際、カバーシート１０のどの位置に排泄が行われたかが点数により確認できるため、ペットの排泄の上達の程度が正確に把握でき、望ましい。
【００６３】
また、例えば図１（ｂ）に示されるカバーシート１０の上に、ペットの犬もしくは猫が排泄物を落としたとする。その排泄物が落とされた位置が、図１（ｂ）における「大吉」等の位置であれば、飼い主は喜びを味わうことができる。
【００６４】
それに対して、図１（ｂ）における「凶」等の位置に排泄物が落とされた場合は、当該飼い主はがっかりするかもしれないが、その日の行動に注意するなどして過ごすことができる。
【００６５】
以上のように、カバーシート１０によれば、ペットの飼い主は、ペットの排泄物の処理を遊び心を持ちながらゲーム感覚で行うことにより、それを楽しむことができるとともに、ペットの排泄のトレーニングを効果的かつモチベーションを維持しながら行うことができる。
【００６６】
また、上述したように、排泄物が大便である場合、飼い主はその大便をカバーシート１０でくるんで、例えば水洗トイレに流す等により容易かつ衛生的にその処理を行うことができる。
【００６７】
また、排泄物が小便である場合、その都度ペット用トイレシーツ１２を交換することは手間がかかるとともに経済的でないため、排泄が２、３度行われるまでペット用トイレシーツ１２を交換しない飼い主も少なくない。そのような飼い主が、カバーシート１０のみを排泄の毎に交換するようにすれば、ペット用トイレシーツ１２についた小便のシミをカバーシート１０が覆い隠すため、美観上好ましい。したがって、美観上の理由から毎回ペット用トイレシーツ１２を交換していた飼い主にとっては、ペット用トイレシーツ１２を交換する代わりにカバーシート１０を交換することにより経済的なメリットももたらされる。
【００６８】
本実施形態は、本発明の技術的思想の範囲内において、様々に変形が可能である。
【００６９】
例えば、上述したペット用トイレ１の各要素の形状もしくはサイズは、あくまでも例示であって、本発明を限定するものではない。したがって、例えば、底板１１ａが楕円状の形状を有していてもよい。
【００７０】
また、カバーシート１０の表面にはダーツの的や占いを示す画像が印刷等されているものとしたが、本発明はこれに限定されず、それら以外の画像が印刷等されてもよい。すなわち、カバーシート１０の使用時の上側表面を少なくとも２以上の領域に区分し、当該２以上の領域のうち少なくとも１以上の領域の各々に関し、当該領域に対応する所定のメッセージを示す、色、図形、およびテキストのうちの１以上を示す画像であれば、どのような画像がカバーシート１０に印刷等されていてもよい。図４は、そのような他の画像の例を示した図である。
【００７１】
また、カバーシート１０の表面に形成される画像は、シート毎に異なっていてもよい。例えば、カバーシート１０に占いが印刷されている場合、日々消耗するカバーシート１０の各々に異なる内容の占いが印刷されていれば、仮にペットが毎回同じ場所に排泄を行ったとしても、飼い主はカバーシート１０により占われるその日の運勢等に一喜一憂し楽しみを感じることができる。
【００７２】
また、カバーシート１０の表面にはダーツの的等を示す画像が印刷により形成されているものとしたが、本発明はこれに限定されず、それ以外の画像の形成方法が採用されてもよい。例えば、エンボス加工によりカバーシート１０に画像の形成が行われていてもよい。
【００７３】
なお、画像が形成される位置はカバーシート１０の表面に限られず、上側表面から飼い主が画像を視認可能であれば、いずれの位置に画像が形成されていてもよい。
【００７４】
また、上述したように、カバーシート１０の素材はいかなるものであってもよい。
【００７５】
また、上述したペット用トイレ１の使用方法は、あくまで一例であって、本発明を限定するものではない。
【００７６】
以下、上述の実施形態の変形例について説明する。なお、以下の説明においては、上述の実施形態との差異を中心に説明する。
【００７７】
（変形例１）
図３は、本発明の実施形態にかかる一変形例としてのペット用トイレ２を示した図である。ペット用トイレ２においては、カバーシート１０は設けられず、ダーツの的や占い等を示す画像が直接、ペット用トイレシーツ１２に例えば印刷される構成が採用される。
【００７８】
より具体的には、ペット用トイレシーツ１２の使用時の上側表面を少なくとも２以上の領域に区分するとともに、当該２以上の領域のうち少なくとも１以上の領域の各々に関し、当該領域に対応する所定のメッセージを示す色、図形、およびテキストのうちの１以上を示す画像が形成されている。
【００７９】
このような構成を有することにより、ペット用トイレシーツ１２は、上述したカバーシート１０を用いる場合と同様に、飼い主が遊び心を持ってペットの排泄物の処理を楽しく行うことを可能とするとともに、ペットの排泄のトレーニングを効果的かつモチベーションを維持しつつ行うことを可能とする。
【００８０】
さらに、カバーシート１０を用いるペット用トイレ１の場合と比較して、飼い主はペット用トイレ２を準備する際、ペット用トイレ容器１１にペット用トイレシーツ１２のみをセットすればよいため、より手軽である。
【００８１】
なお、上述の画像は、印刷以外の方法によってペット用トイレシーツ１２に形成されてもよい点、画像の形成位置が表面でなくてもよい点等は、カバーシート１０に関し上述したものと同様である。
【００８２】
ペット用トイレシーツ１２において、占い等を示す画像の形成位置は特に限定されない。例えば、ペット用トイレシーツ１２の表面シートの外面もしくは内面に画像が形成されてもよい。表面シートは、例えば透明性を有した不織布等であり、外面に印刷等により画像が形成された場合はもちろんのこと、内面に印刷等により画像が形成された場合であっても、その画像が外部から視認可能となる。なお、内面に画像が形成される場合、左右反転した画像を印刷等することにより、外部から画像が正しく視認される。
【００８３】
また、ペット用トイレシーツ１２の表面シートおよび裏面シートの間に配置される吸水体の表面に画像が印刷等により形成されてもよい。その場合、透明性を有した表面シートから透けて画像が外部から視認可能となる。
【００８４】
また、ペット用トイレシーツ１２の吸水体が２層以上の吸水シートで構成されている場合、それらの吸水シートのうち最上位置に配置される吸水シートの裏面に、左右反転された画像が印刷等により形成されてもよい。このような構成が採用された場合、画像の形成された吸水シートの透明性が高ければ、未使用の状態で画像が外部から視認可能となる。一方、画像の形成された吸水シートの透明性が低ければ、未使用の状態で画像が外部から視認困難または視認不可能となる。しかしながら、ペットがペット用トイレシーツ１２に小便を排泄した場合、小便が吸水シートに染み込み、吸水シートの透明性が高まり、裏面に形成されている画像が外部から視認可能となる。その場合、飼い主は例えば占いの内容を小便の排泄後に初めて知ることになり、予め占いの内容が見える場合と比較し、一般的に得られる楽しさが大きい。
【００８５】
上記のように、本発明にかかるペット用トイレシーツは、未使用時の状態において画像が外部から視認可能に形成されている態様に限られず、未使用時には画像が外部から視認困難または視認不可能であるが使用後（ペットによる大便・小便の排泄後）にその排泄された部分に関し画像の視認性が高まる、という態様（以下、「画像が浮き出る態様」という）をも含む。
【００８６】
画像が浮き出る態様は、上述した不透明な吸水シートの裏面に左右反転した画像を形成する方法に限られず、他に様々な方法が採用可能である。例えば、２層以上の吸水シートにより吸水体が構成される場合、上から数えて２層目の吸水シートの上面に左右反転しない通常の画像を形成することにより、１層目の吸水シートの裏面に左右反転した画像を形成する場合とほぼ同様の結果を得ることができる。
【００８７】
また、小便に含まれる物質（例えば尿素）や大便に含まれる物質（例えばメタンガス）と反応し無色から有色に変化する特殊インクにより、例えば表面シートや吸水体の表面上に画像を印刷することにより、未使用時には画像が見えず、小便の排泄により排泄部分の画像が浮き出るようにしてもよい。
【００８８】
また、ペット用トイレシーツを構成する複数のシートが、小便に含まれる水分や大便の重さ等により互いに接触することにより、それら複数のシートの下層に位置するシート上に形成された画像が外部から視認可能となる構成が採用されてもよい。例えば、表面シートと吸水体表面には未使用時にある程度以上の間隔が生じることを利用し、未使用時には吸水体表面に印刷されている画像が外部から視認困難となるようにそれらの材質を選定する。そして、ペットが排泄した小便の水分により表面シートと吸水体が接触する、もしくはペットが排泄した大便の重力により表面シートが吸水体に押し付けられて接触する結果、吸水体表面に印刷等されている画像が外部からよく見えるようになる。そのような構成が採用されてもよい。
【００８９】
また、ペット用トイレシーツを構成する複数のシートのうち、隣接する２枚の一方に無色または淡色の特殊インクで画像印刷をしておき、他方にその特殊インクの視認性を高める化学反応を起こさせる物質を染み込ませる等しておくことにより、それらの２枚のシートが小便の水分または大便の重力による押圧により接触した際、画像が浮き出る構成が採用されてもよい。
【００９０】
また、ペット用トイレシーツを構成する複数のシートのうち、画像を印刷等しているシートの上に水溶性を有するシートを配置することにより、画像が浮き出る仕組みを実現してもよい。例えば、ペット用トイレシーツの最上面を覆う不織布と、占い画像が上面に印刷されている吸水シートとの間に水溶紙を配置する。その場合、ペットが排泄した小便がかかった領域の水溶紙が溶けて穴が空いた状態となり、未使用時には水溶紙により見えなかった（もしくは見えにくかった）占い画像が外部からよく見えるようになる。
【００９１】
上記に例示した画像が浮き出る態様は、カバーシート１０においても採用可能である。例えば、カバーシート１０の裏面に左右反転の画像を印刷等しておき、その印刷面（裏面）が下側となるようにペット用トイレシーツ１２の上に配置する。その後、ペットが小便を排泄すると、その小便が排泄された部分のカバーシート１０の透明性が高まり、裏面に印刷等されていた画像が外部から透けて見えるようになる。また、カバーシート１０の表面に特殊インクで画像を印刷しておき、小便または大便の排泄に伴い画像が浮き出る構成が採用されてもよい。もしくは、カバーシート１０の裏面に特殊インクで左右反転の画像を印刷しておき、ペット用トイレシーツ１２の表面シートにその特殊インクの視認性を高める物質を染み込ませておき、それらが小便または大便の排泄に伴い接触することにより、画像が浮き出る構成が採用されてもよい。
【００９２】
なお、ペット用トイレシーツ１２に画像が形成される場合も、カバーシート１０に画像が形成される場合と同様に、シート毎に形成される画像が異なっていてもよい。日々消耗するペット用トイレシーツ１２の各々に異なる内容の占いが印刷されていれば、仮にペットが毎回同じ場所に排泄を行ったとしても、飼い主はペット用トイレシーツ１２により占われるその日の運勢等に一喜一憂し楽しみを感じることができる。
【産業上の利用可能性】
【００９３】
本発明にかかるカバーシートおよびペット用トイレシーツは、ペットの飼い主の遊び心を刺激することにより、ペットが飼われている多くの現場で利用されることが期待でき、数多く生産販売されて、いわゆる生産業に貢献すると考えられる。
【符号の説明】
【００９４】
１…ペット用トイレ、２…ペット用トイレ、１０…カバーシート、１１…ペット用トイレ容器、１１ａ…底面、１１ｂ…枠、１１ｃ…留め具、１２…ペット用トイレシーツ
【図１】
2011177167.tif 000003
【図２】
2011177167.tif 000004
【図３】
2011177167.tif 000005
【図４】
2011177167.tif 000006